(57)【特許請求の範囲】
【請求項１】
少なくとも１系統以上のエレベータの異常を検出して異常信号を出力する端末装置と、前記端末装置から通信回線を介して前記異常信号が通報される監視センタ装置と、前記エレベータの乗りかご内に設けられると共に、集音部と音声発生部とを含むインターホンを有する非常通話装置と、を備え、前記端末装置及び前記通信回線を経由して前記インターホンと前記監視センタ装置との間における通話状態についての良否を点検するエレベータ用非常通話点検システムであって、
前記監視センタ装置は、予め記憶された書き換え可能な標準文字データを音声信号に変換して前記端末装置に送信する音声変換装置と、前記端末装置から送信された音声信号を音声認識処理により文字データに変換する文字変換装置と、前記文字データと前記標準文字データとを比較した結果による整合性の成否判定を行い、整合性が認められるときの正常状態と認められないときの異常状態とを判別する比較装置と、を備え、
前記端末装置は、前記監視センタ装置から送信された前記音声信号を前記音声発生部から発音させると共に、当該発音を前記集音部で集音した音声信号を当該監視センタ装置へ送信する音声処理装置と、前記乗りかご内の利用者の存在を検出する利用者検出装置と、前記乗りかごの停止状態を検出する停止状態検出装置と、通話点検準備信号が受信されたときに前記利用者検出装置により前記乗りかご内の前記利用者の存在の有無を検出した結果が存在無しであると共に、前記停止状態検出装置により前記乗りかごの停止状態が検出された時点で通話点検開始信号を前記監視センタ装置へ送信する通信処理部と、を備え、
前記監視センタ装置は、前記端末装置へ前記通話点検準備信号を送信して当該端末装置の前記通信処理部が当該通話点検準備信号を受信した応答として前記利用者検出装置の検出結果で前記乗りかごの利用者がおらず、且つ前記停止状態検出装置の検出結果で停止状態時に自装置へ前記通話点検開始信号を送信し、当該自装置が当該通話点検開始信号を受信した時点で通話点検を行う機能を持つことを特徴とするエレベータ用非常通話点検システム。
【請求項２】
請求項１記載のエレベータ用非常通話点検システムにおいて、前記端末装置は、前記集音部で集音した前記音声信号を前記音声処理装置を介して記憶する音声記憶装置を備えたことを特徴とするエレベータ用非常通話点検システム。
【発明の詳細な説明】
【技術分野】
【０００１】
本発明は、エレベータの非常通話装置の点検を監視センタ側の監視者が行うのに適したエレベータ用非常通話点検システムに関する。
【背景技術】
【０００２】
一般に、エレベータの非常通話装置は、乗りかご内とエレベータが設置されるビルの管理人室や事務所等の居室内とにそれぞれインターホンを配設して通話可能とし、例えばエレベータに異常が発生して乗りかご内に閉じ込められた利用者がインターホンを利用した呼び出し時に居室内に管理人が不在でインターホンに応答しない場合には、継続的に通信回線を介してエレベータを遠隔地から監視する監視センタの通話装置に接続して監視者と通話できる仕組みになっている。
【０００３】
このような非常通話装置を点検するための周知技術としては、点検者（監視センタ側の監視者）が現場に行くことなく確実に点検を行うことができる「エレベータのインターホンシステム及びその点検方法」（特許文献１参照）が挙げられる。
【先行技術文献】
【特許文献】
【０００４】
【特許文献１】特開平７−１２３１６２号公報
【発明の概要】
【発明が解決しようとする課題】
【０００５】
上述した特許文献１の技術は、乗りかご内のインターホンに監視センタからの点検信号を記録して再生する記録・再生部と、この記録・再生部を制御するインターホン制御回路と、を設け、監視センタから送信された点検信号を記録・再生部に一旦記録しておき、インターホン制御回路が監視センタを呼び出したときに点検信号を再生して監視センタへ発信することにより、乗りかご内のインターホンと監視センタとの呼び出し点検や通話点検を、エレベータ設置場所へ行くことなく監視センタ側の１人の監視者が点検できるようにしたものである。
【０００６】
しかしながら、特許文献１の技術によれば、監視センタ側の監視者がエレベータの乗りかごのインターホンから再生されて送信された点検信号（再生点検音）を聴覚により確認するため、監視者個人の体調や聴覚力により非常通話装置の点検に関する良否判定の結果にばらつきを生じ易いという問題がある他、非常通話装置の点検が乗りかごの走行中に行われると、乗りかごの停止中の場合と較べて走行音が混入して非常通話装置の点検に関する良否判定を精度良く行うことが困難になってしまうという問題がある。それ故、監視センタ側の監視者には、非常通話装置の点検が相当な負担になっている。
【０００７】
本発明は、このような問題点を解決すべくなされたもので、その技術的課題は、監視センタ側の監視者に負担をかけることなく、非常通話装置の点検に関する良否判定を精度良く行うことができるエレベータ用非常通話点検システムを提供することにある。
【課題を解決するための手段】
【０００８】
上記技術的課題を解決するため、本発明の基本構成は、少なくとも１系統以上のエレベータの異常を検出して異常信号を出力する端末装置と、端末装置から通信回線を介して異常信号が通報される監視センタ装置と、エレベータの乗りかご内に設けられると共に、集音部と音声発生部とを含むインターホンを有する非常通話装置と、を備え、端末装置及び通信回線を経由してインターホンと監視センタ装置との間における通話状態についての良否を点検するエレベータ用非常通話点検システムであって、監視センタ装置は、予め記憶された書き換え可能な標準文字データを音声信号に変換して端末装置に送信する音声変換装置と、端末装置から送信された音声信号を音声認識処理により文字データに変換する文字変換装置と、文字データと標準文字データとを比較した結果による整合性の成否判定を行い、整合性が認められるときの正常状態と認められないときの異常状態とを判別する比較装置と、を備え、端末装置は、監視センタ装置から送信された音声信号を音声発生部から発音させると共に、当該発音を集音部で集音した音声信号を当該監視センタ装置へ送信する音声処理装置と、乗りかご内の利用者の存在を検出する利用者検出装置と、乗りかごの停止状態を検出する停止状態検出装置と、通話点検準備信号が受信されたときに利用者検出装置により乗りかご内の利用者の存在の有無を検出した結果が存在無しであると共に、停止状態検出装置により乗りかごの停止状態が検出された時点で通話点検開始信号を監視センタ装置へ送信する通信処理部と、を備え、監視センタ装置は、端末装置へ通話点検準備信号を送信して当該端末装置の通信処理部が当該通話点検準備信号を受信した応答として利用者検出装置の検出結果で乗りかごの利用者がおらず、且つ停止状態検出装置の検出結果で停止状態時に自装置へ通話点検開始信号を送信し、当該自装置が当該通話点検開始信号を受信した時点で通話点検を行う機能を持つことを特徴とする。
【発明の効果】
【０００９】
本発明のエレベータ用非常通話点検によれば、監視センタ装置側において、端末装置へ送信した通話点検準備信号を端末装置が受信し、その応答として端末装置が乗りかごの利用者なしの停止状態時に送信した通話点検開始信号を受信したタイミングで通話点検を行うようにし、具体的には基準文字データを音声変換した音声信号を端末装置へ送信し、端末装置の音声処理装置により乗りかご内の非常通話装置のインターホンが備える音声発生部から発音させると共に、そのときの発音をインターホンが備える集音部により集音した音声信号を通信回線経由で受信し、文字変換装置による音声認識処理を要して文字変換して文字データとした上、比較装置による音声変換前の基準文字データ及び文字変換後の文字データを比較した結果による整合性の成否判別を視覚的に行うことが可能になるため、監視センタ側の監視者に負担をかけることなく、非常通話装置の点検に関する良否判定をシステム上で高い完成度で客観的に精度良く自動的に行うことができるようになる。
【図面の簡単な説明】
【００１０】
【図１】本発明の実施例１に係るエレベータ用非常通話点検システムの基本構成を示したブロック図である。
【図２】図１に示すエレベータ用非常通話点検システムに備えられる端末装置と監視センタ装置とにおける動作処理の相関性を示したフローチャートである。
【図３】図２に示す動作処理における一部の処理を変更した場合を示したフローチャートである。
【発明を実施するための形態】
【００１１】
以下に、本発明のエレベータ用非常通話点検システムについて、実施例を挙げ、図面を参照して詳細に説明する。
【実施例１】
【００１２】
図１は、本発明の実施例１に係るエレベータ用非常通話点検システムの基本構成を示したブロック図である。この非常通話点検システムは、略図する建物に設備された１系統以上のエレベータにおける乗りかご１における異常を検出して異常信号を出力する端末装置３と、この端末装置３から通信回線９を介して異常信号が通報される監視センタ装置１０と、乗りかご１内に設けられると共に、集音部であるマイク２Ｂと音声発生部であるスピーカ２Ａとを含むインターホン２を有する非常通話装置と、を備え、端末装置３及び通信回線９を経由してインターホン２と監視センタ装置１０との間における通話状態についての良否を点検する機能を持つものである。
【００１３】
このうち、端末装置３は、エレベータの略図する制御装置から走行信号を受け取って乗りかご１の停止状態を検出する停止状態検出装置４と、制御装置から乗りかご１の重量信号を受け取って乗りかご１の利用者（乗客）の存在を検出する乗客検出装置５と、監視センタ装置１０から通信回線９を経由して送信される後述する音声信号を乗りかご１内のインターホン２におけるスピーカ２Ａへ出力すると共に、装置内外の通信機能を担う通信処理部６と、監視センタ装置１０から通信回線９を経由して送信された音声信号を通信処理部６を経由してインターホン２におけるスピーカ２Ａから発音させると共に、そのときの発音をマイク２Ｂで集音した音声信号を通信処理部６及び通信回線９を経由して監視センタ装置１０へ送信する音声処理装置７と、マイク２Ｂで集音した音声信号を音声処理装置７を介して記憶する音声記憶装置８と、を備える。
【００１４】
因みに、上述した端末装置３における音声処理装置７は、音声記憶装置８に記憶された音声信号を通信処理部６及び通信回線９を経由して監視センタ装置１０へ送信する機能を持つ。係る機能は、監視センタ装置１０から端末装置３に音声信号が送信されるタイミングに対し、音声記憶装置８に記憶された音声信号を端末装置３から監視センタ装置１０に送信するタイミングを遅らせることができるもので、これにより音声信号が重畳されることなく信号ラインに端末装置３からの音声信号を載せることができる。この結果、後述する監視センタ装置１０側では、鮮度の良い音声信号を音声認識処理して文字データに変換した上、精度高く比較判別することが可能になる。
【００１５】
また、監視センタ装置１０は、エレベータの乗りかご１の非常通話装置（インターホン２）の点検を計画する通話点検計画部１１と、通話点検計画部１１で点検を計画された端末装置３を選択し、通信処理部１３を経由してダイヤル発信、通話点検準備信号を送信させると共に、選択した端末装置３から通話点検準備信号の受信への応答として送信される通話点検開始信号を受信すると、通信処理部１３を経由して装置内の音声点検部２０にエレベータの非常通話装置の点検を実施させる通話点検処理部１２と、通話点検処理部１２からの通信処理部１３を経由した指示に従って非常通話装置の点検を行う音声点検部２０と、音声点検部２０による点検結果を保管する結果保管部１４と、を備える。
【００１６】
即ち、この監視センタ装置１０では、端末装置３において事前にエレベータの非常電話装置の点検が行われることを分かるようにし、端末装置３での音声記憶装置８に対する起動の切り替えを要しての点検準備ができるようにする。その他、エレベータが何らかの不具合で非常電話装置の点検ができない場合について、端末装置３から通話点検開始信号が監視センタ装置１０側へ送信されないことにより把握できるので、こうした場合には別の機会に非常電話装置の点検を実施するように予定変更することも容易になる。
【００１７】
更に、監視センタ装置１０における音声点検部２０内には、予め記憶された書き換え可能な標準文字データを音声信号に変換して通信処理部１３及び通信回線９を経由して端末装置３に送信する音声変換装置２２と、端末装置３から通信回線９及び通信処理部１３を経由して送信された音声信号を音声認識処理により文字データに変換する文字変換装置２３と、文字変換装置２３で文字変換された文字データと音声変換装置２２で音声変換前に用いた標準文字データとを比較した結果による整合性の成否判定を行い、整合性が認められるときの正常状態と認められないときの異常状態とを判別する比較装置２１とが備えられている。因みに、ここでの比較装置２１内には、予め基準文字データを保持して管理する基準文字データ用管理部２１Ａと、文字変換装置２３から取得された文字データを保持して管理する文字データ用管理部２１Ｂとが備えられている。こうした構成により、上述した結果保管部１４には、選択した端末装置３についての比較装置２１で比較判定された正常状態であるか、或いは異常状態であるかを示す点検結果が保管されることになる。
【００１８】
このような実施例１に係るエレベータ用非常通話点検システムの構成によれば、監視センタ装置１０側において、基準文字データを音声変換した音声信号を端末装置３へ送信し、端末装置３の音声処理装置７により乗りかご１内の非常通話装置のインターホン２が備えるスピーカ２Ａから発音させると共に、そのときの発音をインターホン２が備えるマイク２Ｂにより集音した音声信号を通信回線９経由で受信し、文字変換装置２３による音声認識処理を要して文字変換して文字データとした上、比較装置２１による音声変換前の基準文字データ及び文字変換後の文字データを比較した結果による整合性の成否判別を視覚的に行うことが可能になるため、非常通話装置の点検に関する良否判定を客観的に精度良く行うことができる。
【００１９】
ところで、上述した端末装置３において、通信処理部６は、監視センタ装置１０からの通話点検準備信号が受信されたときに乗客検出装置５により乗りかご１内の乗客（利用者）の存在の有無を検出した結果が存在無しであると共に、停止状態検出装置４により乗りかご１の停止状態が検出された時点で通話点検開始信号を監視センタ装置１０へ送信することが望ましい。こうした機能により、例えば夜間等の監視者の負担の少ない時期（時間帯）を選び、非常電話装置の点検をエレベータが停止状態であって、乗りかご１内が無人であるという最適な条件で適確に実施することができる。
【００２０】
図２は、実施例１のエレベータ用非常通話点検システムに備えられる端末装置３と監視センタ装置１０とにおける動作処理の相関性を示したフローチャートである。このエレベータ用非常通話点検システムの基本動作は、最初に監視センタ装置１０から非常電話装置の点検を行う端末装置３へダイヤル発信を行い、該当する端末装置３が応答するとその端末装置３へ通信処理部６により通話点検準備信号を送信（Ｔ１）する。該当する端末装置３では通話点検準備信号を受信（Ｓ１）すると、エレベータの制御装置から重量信号を受信した乗客検出装置５により乗りかご１内が無人であるか否かの判定（Ｓ２）を行う。この判定の結果、乗りかご１内が無人であれば、引き続いてエレベータの制御装置から走行信号を受信した停止状態検出装置４によりエレベータ（乗りかご１）が停止中であるか否かの判定（Ｓ３）を行う。この判定の結果、エレベータ（乗りかご１）が停止中であれば、通信処理部６により監視センタ装置１０へ通話点検開始信号を送信（Ｓ４）する。
【００２１】
また、端末装置３は、先の乗りかご１内が無人であるか否かの判定（Ｓ２）の結果、乗りかご１内が無人でない（有人である）場合や、先のエレベータが停止中であるか否かの判定（Ｓ３）の結果、エレベータ（乗りかご１）が停止中でない（走行中である）場合には、予め定めた時間を超えているか否かをタイムアウトであるか否かの判定（Ｓ５）により行い、タイムアウトでなければ、先の乗りかご１内が無人であるか否かの判定（Ｓ２）の前に戻ってその後の処理を繰り返すが、タイムアウトであれば点検対象の該当外とするタイムアウト（Ｓ６）とみなして動作処理を終了する。
【００２２】
更に、監視センタ装置１０では、端末装置３において通信処理部６により先に送信された通話点検開始信号を受信したか否かの判定（Ｔ２）を行う。この判定の結果、通話点検開始信号が受信されていなければ、予め定めた時間を超えているか否かをタイムアウトであるか否かの判定（Ｔ３）により行い、タイムアウトでなければ、この通話点検開始信号を受信したか否かの判定（Ｔ２）の前に戻って処理を繰り返すが、タイムアウトであれば点検対象の該当外とするタイムアウト（Ｔ４）とみなしてその結果を結果管理部１４に記録（Ｔ１１）してから動作処理を終了する。また、通話点検開始信号を受信したか否かの判定（Ｔ２）の結果、通話点検開始信号が受信されていれば、基準文字データ用管理部２１Ａの基準文字データを音声変換装置２２により音声信号に変換して通信処理部１３から通信回線９を経由して端末装置３へ送信（Ｔ５）する。
【００２３】
そこで、端末装置３では、監視センタ装置１０から送信された音声信号を通信処理部６で受信（Ｓ７）すると、音声処理装置７により通信処理部６を介して音声信号を乗りかご１内のインターホン２におけるスピーカ２Ａへ出力してスピーカ２Ａにて発音（Ｓ８）させた後、発音された音声をマイク２Ｂで取り込み（集音）して得られた音声信号を通信処理部６及び通信回線９を経由して監視センタ装置１０に送信（Ｓ９）する。監視センタ装置１０では、通信処理部１３を通して端末装置３から送信された音声信号を受信（Ｔ６）すると、文字変換装置２３により受信された音声信号を音声認識処理により文字データに変換（Ｔ７）して比較装置２１の文字データ用管理部２１Ｂに保管させた後、比較装置２１が文字データ用管理部２１Ｂに保管された文字変換後の文字データと基準文字データ用管理部２１Ａに保管された音声変換前の基準文字データとを比較した結果による整合性の成否判定（Ｔ８）を行う。この判定の結果、整合性が認められれば正常（ＯＫ）状態（Ｔ１０）と判別し、整合性が認められないときには異常（ＮＧ）状態（Ｔ９）と判別し、何れの場合も判別結果を結果保管部１４に記録（Ｔ１１）して保管する。
【００２４】
因みに、上述した文字変換後の文字データと音声変換前の基準文字データとを比較した結果による整合性の成否判定（Ｔ８）については、文字データと基準文字データとが完全に一致しているか否かに基づいて判定する場合を例示できる他、文字数が所定の割合以上で一致していれば正常と判定するようにしても良い。
【００２５】
ところで、図２で説明した動作処理について、監視センタ装置１０側における基準文字データを音声変換装置２２により音声信号に変換して端末装置３へ送信（Ｔ５）する処理を受け、端末装置３側における監視センタ装置１０から送信された音声信号を受信（Ｓ７）する処理、音声信号をスピーカ２Ａにて発音（Ｓ８）させる処理、発音された音声をマイク２Ｂで取り込みして得られた音声信号を監視センタ装置１０に送信（Ｓ９）する処理を行い、更にこれを受けて監視センタ装置１０側における端末装置３から送信された音声信号を受信（Ｔ６）する処理を一連の流れとして実施しているときに、ハウリング等が発生して監視センタ装置１０側で端末装置３から送信された音声信号を受信（Ｔ６）することが困難となり、引き続く文字変換装置２３による受信された音声信号を音声認識処理により文字データに変換（Ｔ７）する処理を実施することが困難になる場合がある。こうした場合には、マイク２Ｂから集音された音声信号を一時的に音声記憶装置８に記憶させれば良い。
【００２６】
図３は、図２に示す動作処理における一部の処理を変更した場合を示したフローチャートである。図３を参照すれば、図２の動作処理における端末装置３側において、乗りかご１内で発音された音声をマイク２Ｂで取り込み（集音）して得られた音声信号を監視センタ装置１０に送信（Ｓ９）する処理を変更した以外は図２に示した動作処理と同様な内容となっている。
【００２７】
図３を参照して具体的に説明すれば、ここでは図２で説明した通り、監視センタ装置１０側における基準文字データを音声変換装置２２により音声信号に変換して端末装置３へ送信（Ｔ５）する処理を受け、端末装置３側における監視センタ装置１０から送信された音声信号を受信（Ｓ７）する処理、並びにその音声信号をスピーカ２Ａにて発音（Ｓ８）させる処理を行う。この後は、変更された処理として、発音された音声をマイク２Ｂで取り込み音声記憶装置８に録音（Ｓ９０）するようにした後、音声記憶装置８に録音された音声信号を再生して監視センタ装置１０に送信（Ｓ９１）する処理を行う。この後は図２で説明した動作処理と同様であり、これを受けて監視センタ装置１０側における端末装置３から送信された音声信号を受信（Ｔ６）する処理、並びに文字変換装置２３による受信された音声信号を音声認識処理により文字データに変換（Ｔ７）する処理を実施する。
【００２８】
図３の動作処理を実施すれば、ハウリング等の発生による悪影響を回避できるだけでなく、監視センタ装置１０の通信処理部１３と端末装置３の通信処理部６との間の通信ラインに流れる信号を一方向のみにすることができることにより、信号に含まれるノイズを低減させて鮮度の良い音声信号を音声認識処理して文字データに変換した上、精度高く比較判別することが可能になる。
【００２９】
尚、実施例１に係るエレベータ用非常通話点検システムでは、書き換え可能な標準文字データを音声信号に変換することを前提とするため、基準文字データをエレベータが設備された建物に応じた内容として、個別に設定することが可能である。この基準文字データは、音声変換されて発音される際、乗場で第３者（乗りかご１内の利用者以外を示す）が聞いても違和感のない形態にすることが好ましい。具体的には、例えば「只今、通話装置の点検中です。」とする場合の音声ガイダンスのメッセージを例示できるが、これに代えて通常運行時の音声ガイダンスのメッセージとして、病院や老人ホーム等の施設では「ドアが開きます。」、「足元にご注意して下さい。」等を使用したり、或いは一般のマンション等では「上へ参ります。」等を使用することができる。また、非常電話装置の点検結果が異常（ＮＧ）状態であるときの結果を結果保管部１４に保管しているため、再度点検を実施して尚も正常状態にして終了できない場合には監視センタ装置１０側の監視者（この場合には特に出動用を兼ねた保守管理者を示す）を現場に出動させて不具合時に柔軟に対応させることが可能である。更に、エレベータ（乗りかご１）が無人で停止している状態を乗客検出装置５と停止状態検出装置４との検出結果により判断する場合を説明したが、エレベータは或る定められた時間以上使用されないと、扉を閉じて停止する機能を持っているため、この状態を検出するようにすれば、乗客検出装置５や停止状態検出装置４を省略する構成とすることができ、こうした場合にはシステム全体のコスト削減を図ることができる。加えて、端末装置３から監視センタ装置１０へ送信する通話点検開始信号の通信条件として、乗りかご１の扉についての戸閉信号がオンである条件を追加すれば、非常電話装置の点検時に乗りかご１外から混入されるノイズ音を低減することができる。このように、本発明のエレベータ用非常通話点検システムは、様々な形態に変更できるため、実施例１で説明した形態のものに限定されない。
【符号の説明】
【００３０】
１  乗りかご
２  インターホン
２Ａ  スピーカ
２Ｂ  マイク
３  端末装置
４  停止状態検出装置
５  乗客（利用者）検出装置
６、１３  通信処理部
７  音声処理装置
８  音声記憶装置
９  通信回線
１０  監視センタ装置
１１  通話点検計画部
１２  通話点検処理部
１４  結果保管部
２０  音声点検部
２１  比較装置
２１Ａ  基準文字データ用管理部
２１Ｂ  文字データ用管理部
２２  音声変換装置
２３  文字変換装置
【図１】
0005705782.tif 000002
【図２】
0005705782.tif 000003
【図３】
0005705782.tif 000004